(57)【要約】【課題】型枠を設置する場所に応じて迅速かつ簡単に取り付けることができる型枠支持具及び型枠支持構造を提供すること。【解決手段】本発明の型枠支持具１は、せき板１１に少なくとも上部フランジ部１２及び下部フランジ部１３が設けられた型枠１０を、設置場所Ｇに配置した状態で支持するものである。型枠支持具１は、長さ方向に伸縮可能に設けられ、一端側に上部フランジ部１２を上下から保持する上下片２１１を有する上側保持部２１が設けられ、他端側に設置場所Ｇと固定される第１固定部２２が設けられた第１支持部材２と、長さ方向に伸縮可能に設けられ、一端側に下部フランジ部１３を上下から保持する上下片３１１を有する下側保持部３１が設けられ、他端側に第１支持部材２と固定される第２固定部３２が設けられた第２支持部材３と、を備えたことを特徴とする。【選択図】図１
2015232236.tif 000002
【特許請求の範囲】
【請求項１】
せき板に少なくとも上部フランジ部及び下部フランジ部が設けられた型枠を、設置場所に配置した状態で支持する型枠支持具であって、
長さ方向に伸縮可能に設けられ、一端側に前記上部フランジ部を上下から保持する上下片を有する上側保持部が設けられ、他端側に前記設置場所と固定される第１固定部が設けられた第１支持部材と、
長さ方向に伸縮可能に設けられ、一端側に前記下部フランジ部を上下から保持する上下片を有する下側保持部が設けられ、他端側に前記第１支持部材と固定される第２固定部が設けられた第２支持部材と、
を備えたことを特徴とする型枠支持具。
【請求項２】
前記第２固定部は、前記第１支持部材の長さ方向の固定位置を調整する調整機構を有することを特徴とする請求項１記載の型枠支持具。
【請求項３】
前記第１支持部材と前記上側保持部との間、前記第１支持部材と前記第１固定部との間、前記第２支持部材と前記下側保持部との間、および前記第２支持部材と前記第２固定部との間には、回転機構が設けられたことを特徴とする請求項１または２に記載の型枠支持具。
【請求項４】
せき板に少なくとも上部フランジ部及び下部フランジ部が設けられ、前記上部フランジ部に上側孔が設けられ、前記下部フランジ部に下側孔が設けられた型枠を、設置場所に配置した状態で型枠支持具により支持する型枠支持構造であって、
前記型枠支持具は、
長さ方向に伸縮可能に設けられ、一端側に前記上部フランジ部を上下から保持する上下片と、前記上下片に設けられた第１孔とを有する上側保持部が設けられ、他端側に前記設置場所と固定される第１固定部が設けられた第１支持部材と、
長さ方向に伸縮可能に設けられ、一端側に前記下部フランジ部を上下から保持する上下片と、前記上下片に設けられた第２孔とを有する下側保持部が設けられ、他端側に前記第１支持部材と固定される第２固定部が設けられた第２支持部材と、
を備え、
前記上側保持部の前記上下片を前記上部フランジ部に嵌め込み、前記下側保持部の前記上下片を前記下部フランジ部に嵌め込んだ状態で、前記第１孔、前記上側孔、前記第２孔及び前記下側孔に固定棒を貫通させて前記設置場所に差し込むことで前記型枠を前記設置場所に固定することを特徴とする型枠支持構造。
【請求項５】
前記第２固定部は、前記第１支持部材の長さ方向の固定位置を調整する調整機構を有し、
前記第１支持部材と前記上側保持部との間、前記第１支持部材と前記第１固定部との間、前記第２支持部材と前記下側保持部との間、および前記第２支持部材と前記第２固定部との間に回転機構が設けられ、
前記第１固定部の固定位置と前記下側保持部の固定位置との高さの差に応じて前記調整機構及び前記回転機構を調整して、前記型枠を前記設置場所に固定することを特徴とする請求項４記載の型枠支持構造。
【発明の詳細な説明】
【技術分野】
【０００１】
本発明は、コンクリートなどを流し込むために設置された型枠を支持するための型枠支持具及びこの型枠保持具を用いた型枠支持構造に関する。
【背景技術】
【０００２】
コンクリートの施工では、施工する箇所に型枠を設置しておき、型枠内にコンクリートを流し込んで固めた後に型枠を外すという作業を行っている。型枠には、流し込まれるコンクリートの漏れを防ぐとともに、コンクリートの側面形状を形成するためのせき板が設けられる。型枠を設置する場合には、２枚のせき板をコンクリートの厚さに応じた分だけ離して対向配置する。そして、せき板が倒れないように支持具によって固定している。
【０００３】
一般に、設置した型枠を支持具で固定するには、型枠の上部から設置面にかけて斜めに棒材を立て掛け、この棒材を、地面に差し込んだ杭に固定している。このような棒材を用いた支持では、型枠を設定する場所に応じてその都度棒材を切断し、長さを調整して取り付ける作業が必要になる。
【０００４】
特許文献１及び２には、型枠支持具において棒材の長さを調整できるものが記載されている。また、特許文献３及び４には、型枠支持具において棒材の取り付け角度を調整できるものが記載されている。
【先行技術文献】
【特許文献】
【０００５】
【特許文献１】特開２０１３−１５９９３２号公報
【特許文献２】特開２０１２−１０２４６０号公報
【特許文献３】実開昭４９−４１０２８号公報
【特許文献４】特開２０１０−３１４６３号公報
【発明の概要】
【発明が解決しようとする課題】
【０００６】
しかしながら、いずれの引用文献に記載の支持具においても、型枠を設置する現場の状況に応じて支持具の大きさを迅速に調整し、型枠に簡単に取り付けられる構造にはなっていない。すなわち、型枠を設置する場所の地面高さや地形は様々であり、１つの支持具でこのような様々な状況に対応するのは困難である。
【０００７】
本発明の目的は、型枠を設置する場所に応じて迅速かつ簡単に取り付けることができる型枠支持具及び型枠支持構造を提供することである。
【課題を解決するための手段】
【０００８】
本発明の型枠支持具は、せき板に少なくとも上部フランジ部及び下部フランジ部が設けられた型枠を、設置場所に配置した状態で支持するものである。型枠支持具は、長さ方向に伸縮可能に設けられ、一端側に上部フランジ部を上下から保持する上下片を有する上側保持部が設けられ、他端側に設置場所と固定される第１固定部が設けられた第１支持部材と、長さ方向に伸縮可能に設けられ、一端側に下部フランジ部を上下から保持する上下片を有する下側保持部が設けられ、他端側に第１支持部材と固定される第２固定部が設けられた第２支持部材と、を備えたことを特徴とする。
【０００９】
このような構成によれば、型枠は第１支持部材及び第２支持部材の２つの支持部材によって支持される。第１支持部材及び第２支持部材のそれぞれは長さ方向に伸縮可能であるため、２つの支持部材の長さを調整することで取り付け位置の選択が可能である。また、第１支持部材の一端側に上側保持部の上下片が設けられ、第２支持部材の一端側に下側保持部の上下片が設けられているため、型枠の上部フランジ部及び下部フランジ部のそれぞれに上下片を嵌め込むだけで、支持部材を型枠に取り付けて支持することができる。
【００１０】
本発明の型枠支持具において、第２固定部は、第１支持部材の長さ方向の固定位置を調整する調整機構を有していてもよい。このような構成によれば、調整機構によって第２固定部の第１支持部材への固定位置を調整することで、設置場所の様々な地形に応じた固定を行うことができる。
【００１１】
本発明の型枠支持具において、第１支持部材と上側保持部との間、第１支持部材と第１固定部との間、第２支持部材と下側保持部との間、および第２支持部材と第２固定部との間には、回転機構が設けられていてもよい。このような構成によれば、第１支持部材及び第２支持部材の様々な角度に応じて上部フランジ部と上側保持部との取り付け角度、下部フランジ部と下側保持部との取り付け角度、及び第２固定部と第１支持部材との取り付け角度を調整することができる。
【００１２】
本発明の型枠支持構造は、せき板に少なくとも上部フランジ部及び下部フランジ部が設けられ、上部フランジ部に上側孔が設けられ、下部フランジ部に下側孔が設けられた型枠を、設置場所に配置した状態で型枠支持具により支持する構造である。型枠支持具は、長さ方向に伸縮可能に設けられ、一端側に前記上部フランジ部を上下から保持する上下片と、上下片に設けられた第１孔とを有する上側保持部が設けられ、他端側に前記設置場所と固定される第１固定部が設けられた第１支持部材と、長さ方向に伸縮可能に設けられ、一端側に下部フランジ部を上下から保持する上下片と、上下片に設けられた第２孔とを有する下側保持部が設けられ、他端側に第１支持部材と固定される第２固定部が設けられた第２支持部材と、を備える。そして、上側保持部の上下片を上部フランジ部に嵌め込み、下側保持部の上下片を下部フランジ部に嵌め込んだ状態で、第１孔、上側孔、第２孔及び下側孔に固定棒を貫通させて設置場所に差し込むことで型枠を設置場所に固定することを特徴とする。
【００１３】
このような構成によれば、上側保持部の上下片を上部フランジ部に嵌め込み、下側保持部の上下片を下部フランジ部に嵌め込み、この状態で固定棒を第１孔、上側孔、第２孔及び下側孔に貫通させるだけで、第１支持部材及び第２支持部材の型枠への固定と、型枠の設置場所への固定とを行うことができる。
【００１４】
本発明の型枠支持構造において、第２固定部は、第１支持部材の長さ方向の固定位置を調整する調整機構を有し、第１支持部材と上側保持部との間、第１支持部材と第１固定部との間、第２支持部材と下側保持部との間、および第２支持部材と第２固定部との間に回転機構が設けられていてもよい。そして、第１固定部の固定位置と下側保持部の固定位置との高さの差に応じて調整機構及び回転機構を調整して、型枠を設置場所に固定する。このような構成によって、第１固定部の固定位置と下側保持部の固定位置との間に高さの差があっても、簡単に調整して固定することができる。
【発明の効果】
【００１５】
本発明によれば、型枠を設置する場所に応じて迅速かつ簡単に取り付けることができる型枠支持具及び型枠支持構造を提供可能になる。
【図面の簡単な説明】
【００１６】
【図１】（ａ）は本実施形態に係る型枠支持具を例示する斜視図、（ｂ）は上下片の拡大斜視図である。
【図２】型枠支持具の取り付け位置について例示する斜視図であり、（ａ）は取り付け位置が近い状態、（ｂ）は取り付け位置が遠い状態を示す図である。
【図３】型枠支持具の取り付け態様を例示する斜視図であり、（ａ）は設置場所が広い場合、（ｂ）は設置場所が狭い場合の図である。
【図４】型枠支持具の具体例な取り付け例を示す斜視図である。
【図５】他の型枠支持構造を例示する斜視図である。
【発明を実施するための形態】
【００１７】
以下、本発明の実施形態を図面に基づいて説明する。なお、以下の説明では、同一の部材には同一の符号を付し、一度説明した部材については適宜その説明を省略する。
【００１８】
（型枠支持具の構成）
図１（ａ）の斜視図に表したように、本実施形態に係る型枠支持具１は、コンクリートなどを流し込み成型するための型枠１０を、設置場所Ｇで支持するためのものである。型枠１０は、せき板１１と、上部フランジ部１２と、下部フランジ部１３とを有する。せき板１１は、流し込まれたコンクリートの流出を防止するための枠である。
【００１９】
上部フランジ部１２は、せき板１１の上側に設けられ、せき板１１の外側に張り出した部分である。下部フランジ部１３は、せき板１１の下側に設けられ、せき板１１の外側に張り出した部分である。上部フランジ部１２には複数の上側孔１２ｈが設けられ、下部フランジ部１３に複数の下側孔１３ｈが設けられる。上側孔１２ｈと下側孔１３ｈとは、上からみて互いに重なる位置に設けられる。
【００２０】
下部フランジ部１３は、せき板１１を立てて配置する際の土台になる。上部フランジ部１２は、型枠１０を縦に積み重ねる際に、上に重ねられる型枠１０の下部フランジ部１３を受けるための部分として用いられる。型枠１０を縦に積みかさねた際には、上部フランジ部１２に設けられた上側孔１２ｈと、上側の型枠１０の下部フランジ部１３に設けられた下側孔１３ｈとを用いてボルトなどで固定される。
【００２１】
コンクリートなどの施工を行う場合には、２つのせき板１１が所定の間隔で向かい合わせになるように型枠１０を配置する。施工長さに応じて型枠１０は横方向に連続して配置される。また、施工高さに応じて型枠１０は縦方向に重ねられる。そして、向かい合うせき板１１の間にコンクリートなどが流し込まれ、固められる。
【００２２】
本実施形態に係る型枠支持具１は、このような型枠１０を設置場所Ｇに支持するための補助器具である。型枠支持具１は、第１支持部材２と、第２支持部材３とを備えている。第１支持部材２は、長さ方向に伸縮可能に設けられる。例えば、第１支持部材２は、２本の板材を蝶ねじによって固定する構造になっている。この蝶ねじを緩めることで２本の板材の長さを変えられる。また、任意の長さで蝶ねじを締めると、長さが固定される。蝶ねじを用いることで、手で簡単に長さ調整、長さ固定を行うことができる。
【００２３】
第１支持部材２の一端側（型枠１０側）には上側保持部２１が設けられる。上側保持部２１は、型枠１０の上部フランジ部１２を上下から保持する上下片２１１を有する。図１（ｂ）の拡大斜視図に表したように、上下片２１１の間には、上部フランジ部１２が嵌め込まれる隙間が設けられる。隙間は上部フランジ部１２の肉厚よりも僅かに広く設けられる。この隙間に上部フランジ部１２を差し込むことで、第１支持部材２の一端側が上側保持部２１を介して上部フランジ部１２に取り付けられる。
【００２４】
第１支持部材２の他端側（型枠１０とは反対側）には第１固定部２２が設けられる。第１固定部２２は、第１支持部材２の他端側を設置場所Ｇに固定する部分である。第１固定部２２には、孔２２ｈが設けられる。この孔２２ｈに固定棒Ｓ２を挿入して設置場所Ｇに差し込むことで、第１固定部２２が設置場所Ｇに固定される。
【００２５】
第２支持部材３は、長さ方向に伸縮可能に設けられる。例えば、第２支持部材３は、２本の板材を蝶ねじによって固定する構造になっている。この蝶ねじを緩めることで２本の板材の長さを変えられる。また、任意の長さで蝶ねじを締めると、長さが固定される。蝶ねじを用いることで、手で簡単に長さ調整、長さ固定を行うことができる。
【００２６】
第２支持部材３の一端側（型枠１０側）には下側保持部３１が設けられる。下側保持部３１は、型枠１０の下部フランジ部１３を上下から保持する上下片３１１を有する。下側保持部３１及び上下片３１１の構造は、図１（ｂ）の拡大斜視図に表した上側保持部２１及び上下片２１１と同様である。下側保持部３１の上下片３１１の隙間に下部フランジ部１３を差し込むことで、第２支持部材３の一端側が下側保持部３１を介して下部フランジ部１３に取り付けられる。
【００２７】
第２支持部材３の他端側（型枠１０とは反対側）には第２固定部３２が設けられる。第２固定部３２は、第２支持部材３の他端側を第１支持部材２に固定する部分である。第２固定部３２は、例えば蝶ねじによって第１支持部材２に固定される。この蝶ねじを緩めることで第２固定部３２の固定位置を、第１支持部材２の長さ方向に沿って変えることができる。また、任意の固定位置で蝶ねじを締めると、第２固定部３２の固定位置が決定される。蝶ねじを用いることで、手で簡単に固定位置の調整及び位置固定を行うことができる。
【００２８】
（型枠支持構造）
型枠支持具１においては、第１支持部材２の上側保持部２１の上下片２１１に第１孔２１ｈが設けられ、第２支持部材３の下側保持部３１の上下片３１１に第２孔３１ｈが設けられる。本実施形態に係る型枠支持具１によって型枠１０を支持するには、第１支持部材２の上側保持部２１の上下片２１１を型枠１０の上部フランジ部１２に嵌め込み、第２支持部材３の下側保持部３１の上下片３１１を型枠１０の下部フランジ部１３に嵌め込む。
【００２９】
そして、第１孔２１ｈ、上側孔１２ｈ、第２孔３１ｈ及び下側孔１３ｈに固定棒Ｓ１を貫通させて設置場所Ｇに差し込む。これにより、第１支持部材２の一端側及び第２支持部材３の一端側が、固定棒Ｓ１によって上部フランジ部１２及び下部フランジ部１３に固定されるとともに、設置場所Ｇに固定される。
【００３０】
次に、第１支持部材２及び第２支持部材３の長さを適宜調整する。そして、第１支持部材２の第１固定部２２の孔２２ｈに固定棒Ｓ２を貫通させ、設置場所Ｇに差し込む。これにより、第１支持部材２の他端側が固定棒Ｓ２によって設置場所Ｇに固定される。
【００３１】
本実施形態では、第１支持部材２及び第２支持部材３の一端側を上部フランジ部１２及び下部フランジ部１３に差込、固定棒Ｓ１及Ｓ２によって串刺しするといった簡単な手順で、型枠支持具１を型枠１０に固定し、型枠１０を設置場所Ｇで確実に支持できるようになる。また、第１支持部材２及び第２支持部材３の長さが調整可能に設けられているため、第１支持部材２及び第２支持部材３の長さを設置場所Ｇの状況に応じて適宜調整することができる。
【００３２】
（取り付け位置の調整）
本実施形態に係る型枠支持具１において、第１支持部材２と上側保持部２１との間、第１支持部材２と第１固定部２２との間、第２支持部材３と下側保持部３１との間、および第２支持部材３と第２固定部３２との間には、例えば蝶番による回転機構が設けられていることが望ましい。
【００３３】
このような回転機構が設けられていると、上側保持部２１、下側保持部３１、第１固定部２２及び第２固定部３２の角度の自由度が増すため、第１支持部材２及び第２支持部材３の長さを調整した場合や、設置場所Ｇの高さや角度などの状況に対応して確実な固定を行うことができるようになる。
【００３４】
図２（ａ）の斜視図には、型枠支持具１を型枠１０の近くに固定した例が表される。また、図２（ｂ）の斜視図には、型枠支持具１を型枠１０から離れた位置に固定した例が表される。いずれの例においても、第１支持部材２及び第２支持部材３の一端側は上部フランジ部１２及び下部フランジ部１３に固定される。
【００３５】
図２（ａ）に表したように、型枠支持具１を型枠１０の近くに固定したい場合には、第１支持部材２及び第２支持部材３の長さを短めに調整する。また、必要に応じて第２支持部材３の第２固定部３２の位置を調整する。第１支持部材２及び第２支持部材３の長さを短くすると、第１固定部２２の位置が型枠１０に近づく。この際、蝶番等の回転機構によって、上側保持部２１、下側保持部３１及び第１固定部２２の角度を維持することができる。
【００３６】
また、図２（ｂ）に表したように、型枠支持具１を型枠１０から離れた位置に固定したい場合には、第１支持部材２及び第２支持部材３の長さを長めに調整する。必要に応じて第２支持部材３の第２固定部３２の位置を調整する。第１支持部材２及び第２支持部材３の長さを長くすると、第１固定部２２の位置が型枠１０から離れる。この際、蝶番等の回転機構によって、上側保持部２１、下側保持部３１及び第１固定部２２の角度を維持することができる。
【００３７】
このような蝶番等の回転機構が設けられていても、第１支持部材２及び第２支持部材３の長さを固定した状態で、固定棒Ｓ１及びＳ２によって一端側及び他端側の位置を固定すれば、回転機構の角度が変わることなく、型枠１０を確実に支持することができる。
【００３８】
（型枠支持具の取り付け態様）
図３（ａ）及び（ｂ）には、型枠支持構造における２つの取り付け態様が表される。図３（ａ）及び（ｂ）では、説明を分かりやすくするため、型枠支持具１として第１支持部材２及び第２支持部材３のみを表し、細かい構成は省略している。また、型枠１０は１つのみが表され、固定棒Ｓ１及びＳ２は一点鎖線で表される。
【００３９】
図３（ａ）には、型枠１０の周囲に広い設置場所Ｇがある場合の取り付け態様が表される。例えば、型枠１０の設置場所Ｇが幅広の溝内の場合である。この場合、第１支持部材２は、型枠１０の上部フランジ部１２の位置から斜め下方の設置場所Ｇまで延びる。第２支持部材３は、型枠１０の下部フランジ部１３の位置から設置場所Ｇの面に沿うように横方向に延びる。型枠１０の周囲に広いスペースがある場合には、第１支持部材２をなるべく長くすることで、型枠１０に対する対抗力を得やすくなる。
【００４０】
図３（ｂ）には、型枠１０の周囲に広い設置場所Ｇがない場合の取り付け態様が表される。例えば、型枠１０の設置場所Ｇが幅の狭い溝内の場合である。この場合、第１支持部材２は、型枠１０の上部フランジ部１２の位置から溝の縁まで横方向に延びる。第２支持部材３は、型枠１０の下部フランジ部１３の位置から第１支持部材２の中間付近まで斜め上方に延びる。このように、型枠１０の周囲に広いスペースがない場合でも、第１支持部材２及び第２支持部材３の長さや角度を調整することで、型枠１０を支持することができる。
【００４１】
また、本実施形態に係る型枠支持具１では、第１支持部材２の他端側に設けられた第１固定部２２の固定高さを自由に設定することができる。したがって、第１固定部２２を固定する場所の選択の幅が拡がる。
【００４２】
このように、本実施形態に係る型枠支持具１では、第１支持部材２及び第２支持部材３の長さ、第２支持部材３の第１支持部材２との連結位置の調整によって、様々な設置場所Ｇの状況にも容易に対応することが可能になる。また、いずれも場合でも、固定棒Ｓ１及びＳ２を差し込むだけの簡単な作業で、型枠支持具１を型枠１０に取り付け、設置場所Ｇに固定できるようになる。
【００４３】
（型枠支持具の取り付け例）
次に、図４の斜視図に基づき、型枠支持具１の具体例な取り付け例を説明する。なお、図４では、説明を分かりやすくするため、図３と同様に、型枠支持具１として第１支持部材２及び第２支持部材３のみを表し、細かい構成は省略している。また、型枠１０は１つのみが表され、固定棒Ｓ１及びＳ２は一点鎖線で表される。
【００４４】
図４に表した例では、所定の間隔で対向する型枠１０が長さ方向に複数連続して配置されている。型枠１０の設置場所Ｇは溝内になっている。この溝の幅は、場所によって異なっている。図４に表した例では、１つの型枠１０に対して２つの型枠支持具１が取り付けられる。型枠１０が長い場合には、３つ以上の型枠支持具１を取り付けてもよい。
【００４５】
型枠１０の外側から溝の壁までの距離が長い場合には、第１支持部材２を上部フランジ部１２から設置場所Ｇまで斜め下方に延ばして固定する。すなわち、図３（ａ）に表したような態様で取り付ける。
【００４６】
一方、型枠１０の外側から溝の壁までの距離が短い場合には、第１支持部材２を上部フランジ部１２から溝の縁まで横方向に延ばして固定する。すなわち、図３（ｂ）に表したような態様で取り付ける。
【００４７】
このように、本実施形態に係る型枠支持具１では、型枠１０が設置される場所の状況に応じて、第１支持部材２及び第２支持部材３の長さや角度を調整し、最適な取り付け態様を選択することができる。また、第１支持部材２及び第２支持部材３を上部フランジ部１２及び下部フランジ部１３に取り付ける際には、上下片２１１及び３１１の隙間に上部フランジ部１２及び下部フランジ部１３を嵌め込み、固定棒Ｓ１によって串刺しするだけでよい。また、第１固定部２２も、固定棒Ｓ２を差し込むだけで固定することができる。
【００４８】
一般に、コンクリートなどの施工では、数多くの型枠１０を並べる必要がある。これら多くの型枠１０において型枠支持具１の取り付け可能なスペースは様々である。本実施形態に係る型枠支持具１を用いることで、このような様々なスペースに対応して型枠支持具１の長さや角度を調整して、固定棒Ｓ１及びＳ２の差し込みで簡単かつ確実に固定できるようになる。
【００４９】
（他の型枠支持構造）
図５の斜視図には、型枠１０を上下に重ねた例が表される。上下の型枠１０は、重ね合わされた上部フランジ部１２及び下部フランジ部１３をボルトＢによって締結固定される。ボルトＢによる締結固定は、重ね合わされた上部フランジ部１２及び下部フランジ部１３の間で行われるため、上側の型枠１０の上部フランジ部１２と、下側の型枠１０の下部フランジ部１３は、重ね合わせにおいて利用されない。
【００５０】
本実施形態に係る型枠支持具１は、この重ね合わせに利用されない上側の型枠１０の上部フランジ部１２と、下側の型枠１０の下部フランジ部１３とに取り付けられる。すなわち、第１支持部材２及び第２支持部材３の長さを調整し、上側の型枠１０の上部フランジ部１２に第１支持部材２の上側保持部２１を嵌め込み、下側の型枠１０の下部フランジ部１３に第２支持部材３の下側保持部３１を嵌め込む。そして、固定棒Ｓ１を、上側保持部２１、上側の型枠１０、下側の型枠１０及び下側保持部３１まで貫通させて、設置場所Ｇに差し込む。また、第１固定部２２の孔２２ｈに固定棒Ｓ２を差し込む。これにより、上下に重ねられた型枠１０に、型枠支持具１を固定することができる。
【００５１】
本実施形態に係る型枠支持具１では、第１支持部材２及び第２支持部材３の長さを調整できるため、図５に示したような重ね合わされた型枠１０に取り付ける場合や、様々な大きさの型枠１０についても対応することができる。このため、型枠１０の設置場所Ｇに合わせて現場で棒材を切断する手間が不要になる。また、１つの型枠支持具１を使い回すことができ、非常に経済的である。また、上下片２１１及び３１１の隙間に上部フランジ部１２及び下部フランジ部１３を嵌め込むことで簡単に取り付けることができ、さらに固定棒Ｓ１及びＳ２の差し込みによって簡単に固定することができる。これにより、利便性の高い型枠支持具１を提供することが可能になる。
【００５２】
以上説明したように、実施形態に係る型枠支持具１及び型枠支持構造によれば、型枠１０を設置する場所に応じて迅速かつ簡単に型枠支持具１を取り付けることが可能になる。
【００５３】
なお、上記に本実施形態を説明したが、本発明はこれらの例に限定されるものではない。例えば、前述の実施形態に対して、当業者が適宜、構成要素の追加、削除、設計変更を行ったものも、本発明の要旨を備えている限り、本発明の範囲に含まれる。
【符号の説明】
【００５４】
１…型枠支持具
２…第１支持部材
３…第２支持部材
１０…型枠
１１…せき板
１２…上部フランジ部
１２ｈ…上側孔
１３…下部フランジ部
１３ｈ…下側孔
２１…上側保持部
２１ｈ…第１孔
２２…第１固定部
３１…下側保持部
３１ｈ…第２孔
３２…第２固定部
２１１…上下片
３１１…上下片
Ｇ…設置場所
Ｓ１，Ｓ２…固定棒
【図１】
2015232236.tif 000003
【図２】
2015232236.tif 000004
【図３】
2015232236.tif 000005
【図４】
2015232236.tif 000006
【図５】
2015232236.tif 000007